(57)【特許請求の範囲】
【請求項１】
画像が形成された用紙に予め定められた処理を施す処理部と、
前記処理部を経由して前記用紙を搬送する第１の搬送経路と、
前記処理部を経由しないで前記用紙を搬送する第２の搬送経路と、
前記第１の搬送経路と前記第２の搬送経路との切り替えを制御する制御部と、を備え、
前記制御部は、前記処理部による処理を要する用紙と、当該処理部による処理を要しない用紙とが混在する一連の印刷単位においては、前記第１の搬送経路を搬送させ、
前記制御部は、前記処理部による処理を要しない用紙のみの一連の印刷単位においては、前記第２の搬送経路を搬送させる
ことを特徴とする後処理装置。
【請求項２】
前記処理部が、前記用紙に折り筋を形成する処理を行う場合、
前記制御部は、折り易さが異なる用紙が混在する一連の印刷単位において、前記第１の搬送経路を搬送させ、折りにくい用紙に前記処理部により折り筋を形成し、折り易い用紙は当該処理部で折り筋を形成しないように制御することを特徴とする請求項１に記載の後処理装置。
【請求項３】
前記処理部が、側縁を除去する処理を行う場合、
前記制御部は、大きさが異なる用紙が混在する一連の印刷単位において、前記第１の搬送経路を搬送させ、側縁を除去すると小さい用紙に大きさが揃うように、大きい用紙は前記処理部により側縁を除去し、小さい用紙は当該処理部で側縁を除去しないように制御することを特徴とする請求項１に記載の後処理装置。
【請求項４】
前記処理部が、用紙を一時的に保管する処理を行う場合、
前記制御部は、保管する用紙と保管しない用紙とが混在する一連の印刷単位において、前記第１の搬送経路を搬送させ、保管する用紙を前記処理部に保管し、保管しない用紙を当該処理部で保管しないように制御することを特徴とする請求項１に記載の後処理装置。
【請求項５】
用紙に画像を形成する画像形成装置と、
前記画像形成装置で画像が形成された用紙に予め定められた処理を施す処理部と、当該処理部を経由して当該用紙を搬送する第１の搬送経路と、当該処理部を経由しないで当該用紙を搬送する第２の搬送経路と、当該第１の搬送経路と当該第２の搬送経路との切り替えを制御する制御部と、を有する後処理装置と、を備え、
前記後処理装置の前記制御部は、前記処理部による処理を要する用紙と、当該処理部による処理を要しない用紙とが混在する一連の印刷単位においては、前記第１の搬送経路を搬送させ、当該制御部は、当該処理部による処理を要しない用紙のみの一連の印刷単位においては、前記第２の搬送経路を搬送させる
ことを特徴とする画像形成システム。
【請求項６】
前記画像形成装置から前記後処理装置への用紙の搬送経路に接続され、用紙を挿入する用紙挿入装置をさらに備えることを特徴とする請求項５に記載の画像形成システム。
【発明の詳細な説明】
【技術分野】
【０００１】
本発明は、後処理装置及び画像形成システムに関する。
【背景技術】
【０００２】
特許文献１には、搬送部の搬送経路に沿って、シート整合部、用紙の両端部の余白を切除する切断部、天地の余白を切除する断細部及び折目付部をこの順に配置した製本前処理装置が記載されている。
【０００３】
特許文献２には、用紙供給装置と、中綴じ折り装置と、小口断裁装置と、天地断裁装置と、完成した冊子を配列するスタッカとを有する三方断裁システムを、第１の方向転換装置及び第２の方向転換装置を含めてコの字型に構成し、スタッカと用紙供給装置との間の距離を短縮した三方断裁システムが記載されている。
【０００４】
特許文献３には、上ブロックと下ブロックとを突き合わせて用紙の進行方向前部を挟み込むようにして用紙を固定した状態で、凸部材と凹部材とを噛み合わせた際に、凸部の頂点と凹部の頂点とを結ぶ直線Ｙ上に折り目の予定位置が位置するように、用紙搬送手段と用紙固定手段とを用いて用紙の固定位置を制御する折り目付け装置が記載されている。
【０００５】
特許文献４には、一方向に曲がる第１の搬送路と、この第１の搬送路に続いて他方向に曲がる第２の搬送路と、を有し、曲がりつつ鉛直下方向に向かう搬送路と、前記第１の搬送路に設けられた第１の処理部と、前記第２の搬送路に設けられた第２の処理部と、前記第２の搬送路に続いて、鉛直上方へ向かう第３の搬送路と、を有する後処理装置が記載されている。
【先行技術文献】
【特許文献】
【０００６】
【特許文献１】特開２００５−１４４７６６号公報
【特許文献２】特開２００５−１６１４７８号公報
【特許文献３】特開２０１１−１０５４９４号公報
【特許文献４】特開２０１５−９９７０号公報
【発明の概要】
【発明が解決しようとする課題】
【０００７】
冊子等を制作する一連の印刷単位では、用紙に画像が形成された後に、画像形成された用紙に折り筋を形成する折り筋形成や、用紙の側縁を除去する側縁除去（天地トリマー）など後処理が行なわれることがある。このとき、これらの後処理を必要とする用紙は、折り筋形成や側縁除去などの後処理が行われる経路で搬送し、これらの後処理を必要としない用紙は、こられの後処理を迂回（スキップ）する経路で搬送される。しかし、一連の印刷単位（ジョブ）において、後処理を必要とする用紙と後処理を必要としない用紙とが混在すると、搬送経路を切り替える制御が複雑になる。
本発明の目的は、後処理を必要とする用紙と後処理を必要としない用紙とが混在する場合に、制御を簡略化できる後処理装置などを提供することにある。
【課題を解決するための手段】
【０００８】
請求項１に記載の発明は、画像が形成された用紙に予め定められた処理を施す処理部と、前記処理部を経由して前記用紙を搬送する第１の搬送経路と、前記処理部を経由しないで前記用紙を搬送する第２の搬送経路と、前記第１の搬送経路と前記第２の搬送経路との切り替えを制御する制御部と、を備え、前記制御部は、前記処理部による処理を要する用紙と、当該処理部による処理を要しない用紙とが混在する一連の印刷単位においては、前記第１の搬送経路を搬送させ、前記制御部は、前記処理部による処理を要しない用紙のみの一連の印刷単位においては、前記第２の搬送経路を搬送させることを特徴とする後処理装置である。
請求項２に記載の発明は、前記処理部が、前記用紙に折り筋を形成する処理を行う場合、前記制御部は、折り易さが異なる用紙が混在する一連の印刷単位において、前記第１の搬送経路を搬送させ、折りにくい用紙に前記処理部により折り筋を形成し、折り易い用紙は当該処理部で折り筋を形成しないように制御することを特徴とする請求項１に記載の後処理装置である。
請求項３に記載の発明は、前記処理部が、側縁を除去する処理を行う場合、前記制御部は、大きさが異なる用紙が混在する一連の印刷単位において、前記第１の搬送経路を搬送させ、側縁を除去すると小さい用紙に大きさが揃うように、大きい用紙は前記処理部により側縁を除去し、小さい用紙は当該処理部で側縁を除去しないように制御することを特徴とする請求項１に記載の後処理装置である。
請求項４に記載の発明は、前記処理部が、用紙を一時的に保管する処理を行う場合、前記制御部は、保管する用紙と保管しない用紙とが混在する一連の印刷単位において、前記第１の搬送経路を搬送させ、保管する用紙を前記処理部に保管し、保管しない用紙を当該処理部で保管しないように制御することを特徴とする請求項１に記載の後処理装置である。
請求項５に記載の発明は、用紙に画像を形成する画像形成装置と、前記画像形成装置で画像が形成された用紙に予め定められた処理を施す処理部と、当該処理部を経由して当該用紙を搬送する第１の搬送経路と、当該処理部を経由しないで当該用紙を搬送する第２の搬送経路と、当該第１の搬送経路と当該第２の搬送経路との切り替えを制御する制御部と、を有する後処理装置と、を備え、前記後処理装置の前記制御部は、前記処理部による処理を要する用紙と、当該処理部による処理を要しない用紙とが混在する一連の印刷単位においては、前記第１の搬送経路を搬送させ、当該制御部は、当該処理部による処理を要しない用紙のみの一連の印刷単位においては、前記第２の搬送経路を搬送させることを特徴とする画像形成システムである。
請求項６に記載の発明は、前記画像形成装置から前記後処理装置への用紙の搬送経路に接続され、用紙を挿入する用紙挿入装置をさらに備えることを特徴とする請求項５に記載の画像形成システムである。
【発明の効果】
【０００９】
請求項１の発明によれば、搬送経路を混在させた場合に比べ、後処理を必要とする用紙と後処理を必要としない用紙とが混在する場合に、制御を簡略化できる。
請求項２、３、４の発明によれば、搬送経路を混在させた場合における処理部の制御とゲートの制御を、処理部の制御に簡略化できる。
請求項５の発明によれば、後処理を必要とする用紙と後処理を必要としない用紙とが混在する場合に、制御を簡略化できる画像形成システムを提供できる。
請求項６の発明によれば、用紙が搬送経路に挿入される場合であっても、制御を簡略化できる画像形成システムを提供できる。
【図面の簡単な説明】
【００１０】
【図１】本実施の形態が適用される画像形成システムの全体構成を示した図である。
【図２】後処理装置を説明する図である。
【発明を実施するための形態】
【００１１】
以下、添付図面を参照して、本発明を実施するための形態について説明する。
＜画像形成システム１００の説明＞
図１は、本実施の形態が適用される画像形成システム１００の全体構成を示した図である。図１に示す画像形成システム１００には、例えば電子写真方式によってカラー画像を形成するプリンタや複写機等の画像形成装置１、画像形成された用紙Ｓを受け入れて搬送するとともに他の用紙Ｓを挿入する用紙挿入装置２、画像形成装置１によって画像が形成された用紙Ｓに対して後処理を施す後処理装置３が設けられている。
用紙挿入装置２は、画像形成装置１によって画像が形成された用紙Ｓを搬送する用紙搬送装置として捉えられるが、別に画像形成などがされた用紙Ｓを搬送経路に追加挿入する機能も有している。
また、後処理装置３は、用紙Ｓを搬送する機能を有しており、用紙搬送装置として捉えてもよい。
ここでは、画像形成装置１によって画像が形成された用紙及び用紙挿入装置２から供給される用紙をともに用紙Ｓと表記する。
【００１２】
画像形成装置１には、各色画像データに基づき用紙Ｓへの画像形成を行う画像形成部１０が設けられている。画像形成部１０は、インクジェット方式や、電子写真方式などを用いて、用紙Ｓへの画像形成を行う。
また、画像形成装置１には、原稿から画像を読み取って読取画像データを生成する画像読み取り部１１、画像形成部１０に用紙Ｓを供給する用紙供給部１２、ユーザからの操作入力を受け付けるとともにユーザへの情報の提示を行う総合ユーザ・インターフェイス１３が設けられている。
【００１３】
また、画像形成装置１には、ＣＰＵ（Central Processing Unit）、ＲＯＭ（Read Only Memory）などを含んで構成され、画像形成システム１００全体の動作を制御する主制御部１４が設けられている。
【００１４】
用紙挿入装置２は、例えば冊子（ブックレット）を作製する際の表紙など、別に画像形成などがされた用紙Ｓを、画像形成装置１によって画像が形成される用紙Ｓの搬送経路に追加挿入する。すなわち、画像形成装置１が冊子の本文となる用紙Ｓを形成するとしたとき、用紙挿入装置２は、本文となる用紙Ｓの流れに対して、表紙となる用紙Ｓを供給する。
【００１５】
後処理装置３には、用紙Ｓに対して折り筋を形成する折り筋形成部３０７（後述する図２参照）や、側縁除去（天地トリマー）を行う側縁除去部３０８（後述する図２参照）など複数の処理部が設けられている。
【００１６】
そして、図１では記載していないが、画像形成システム１００では、後処理装置３に続いて、後処理装置３から搬出された用紙Ｓに対して、実際に折り処理を行う装置、折り処理が行われた用紙Ｓに対して穴あけ（パンチ）や、必要枚数だけ用紙Ｓを集積させた用紙束の端部に対してステープル綴じ（端綴じ）や、用紙束の中央部分に綴じ処理（中綴じ処理）を施して冊子を生成する（製本作業を行う）フィニッシャ装置などが接続されてもよい。このようにすることで、画像形成システム１００は、例えば、冊子を作成する一連の印刷単位が連続して行えるように構成される。
【００１７】
さらに、後処理装置３には、ＣＰＵ（Central Processing Unit）、ＲＯＭ（Read Only Memory）などを含んで構成され、後処理装置３の各機能部を制御する後処理制御部３１が設けられている。また、後処理に関するユーザからの操作入力を受け付けるユーザ・インターフェイス（ＵＩ）３２が設けられている。
【００１８】
なお、本実施形態では、後処理制御部３１が後処理装置３内に設けられた構成例を示したが、後処理制御部３１は、画像形成装置１内に設けてもよい。また、主制御部１４が、後処理制御部３１の制御機能を兼ね備えた構成としてもよい。
また、本実施形態では、ユーザ・インターフェイス３２が後処理装置３に設けられた構成例を示したが、ユーザ・インターフェイス３２は、画像形成装置１に設けてもよい。また、総合ユーザ・インターフェイス１３が、ユーザ・インターフェイス３２の機能を兼ね備えた構成としてもよい。
【００１９】
＜後処理装置３の説明＞
図２は、後処理装置３を説明する図である。
後処理装置３には、画像形成装置１から搬送されてきた用紙Ｓを受け入れる受け入れ口３０１、用紙Ｓを排出する排出口３０２が設けられている。
また、後処理装置３は、受け入れた用紙Ｓに対して、用紙Ｓの流れる方向に対する傾き（スキュー）を検知する傾き検知部３０３、傾きを補正するスイングロール４２を備えた第１傾き補正部３０４、傾き補正ロール４３に用紙Ｓの先端を突き当てることにより傾きを補正する第２傾き補正部３０５、用紙Ｓの両端の位置を検出する端位置検出部３０６、用紙Ｓに折り筋を形成する折り筋形成部３０７、用紙Ｓの側縁ＣＳを除去する側縁除去部（天地トリマー）３０８及び除去された用紙Ｓの側縁ＣＳを屑として収容する屑収容部３０９を備えている。
【００２０】
さらに、後処理装置３には、用紙Ｓが通る第１用紙搬送経路Ｒ１が設けられている。この第１用紙搬送経路Ｒ１は、受け入れ口３０１を始点として排出口３０２に向かう。
また、第１用紙搬送経路Ｒ１は、傾き検知部３０３、第１傾き補正部３０４、第２傾き補正部３０５、端位置検出部３０６、折り筋形成部３０７、側縁除去部（天地トリマー）３０８を経由するように設けられている。この経路により、受け入れ口３０１にて受け入れられた用紙Ｓが、傾き検知部３０３、第１傾き補正部３０４、第２傾き補正部３０５、端位置検出部３０６、折り筋形成部３０７、側縁除去部３０８へ向かう。
なお、第１用紙搬送経路Ｒ１は、側縁除去部３０８の下流側（βとして示す部分、以下β部分と称す）にて、第１分岐経路Ｒ１１と第２分岐経路Ｒ１２とに枝分かれしている。そして、第１分岐経路Ｒ１１と第２分岐経路Ｒ１２は、排出口３０２の手前（γとして示す部分、以下γ部分と称す）で合流する。
【００２１】
さらに、後処理装置３には、第２用紙搬送経路Ｒ２が設けられている。
第２用紙搬送経路Ｒ２は、第１用紙搬送経路Ｒ１から分岐するように設けられている。具体的には、第２用紙搬送経路Ｒ２は、第１傾き補正部３０４の下流側で、折り筋形成部３０７の上流側（αとして示す部分、以下α部分と称す）にて、第１用紙搬送経路Ｒ１から分岐している。さらに、第２用紙搬送経路Ｒ２は、第１用紙搬送経路Ｒ１に接続している箇所を始点として、排出口３０２に向かう。
折り筋形成部３０７における折り筋の形成及び側縁除去部３０８による側縁ＣＳの除去を行わない用紙Ｓは、第２用紙搬送経路Ｒ２を通って排出口３０２に向かうように構成されている。
【００２２】
なお、第１用紙搬送経路Ｒ１、第２用紙搬送経路Ｒ２は、例えば、２枚の金属板で挟まれた通路（シュート）とし構成されている。そして、用紙Ｓは、２枚の金属板の間を搬送される。
また、第１用紙搬送経路Ｒ１から第２用紙搬送経路Ｒ２に分岐するα部分、第１用紙搬送経路Ｒ１が第１分岐経路Ｒ１１と第２分岐経路Ｒ１２とに分岐するβ部分、第１分岐経路Ｒ１１、第２分岐経路Ｒ１２及び第２用紙搬送経路Ｒ２が合流するγ部分には、金属板で構成され、金属板が用紙Ｓをガイドすることで、用紙Ｓの経路（搬送経路）を切り替えるゲートが設けられている。
【００２３】
さらに、第１用紙搬送経路Ｒ１、第２用紙搬送経路Ｒ２には、これらの用紙搬送経路上に位置する用紙Ｓを下流側へ搬送する搬送ロール４１が複数設けられている。
搬送ロール４１は、モータより回転駆動する駆動ロール４１Ａと、駆動ロール４１Ａと対向する位置に設けられ、駆動ロール４１Ａから駆動力を受けて回転する従動ロール４１Ｂとから構成されている。
【００２４】
これらの駆動ロール４１Ａ及び従動ロール４１Ｂは、例えば、金属等で構成された軸に、ゴム等の構成された円筒状の弾性体が複数取り付けられて構成されている。
そして、搬送ロール４１では、駆動ロール４１Ａの弾性体と、従動ロール４１Ｂの弾性体とを接触させた状態（接触状態）とし、駆動ロール４１Ａを回転させる。すると、駆動ロール４１Ａに接触された従動ロール４１Ｂが従動する。
用紙Ｓが駆動ロール４１Ａと従動ロール４１Ｂとの間に挟み込まれる（ニップされると）と、用紙Ｓは、駆動ロール４１Ａ及び従動ロール４１Ｂの回転する方向に移動する。
【００２５】
これらの搬送ロール４１における駆動ロール４１Ａ及び従動ロール４１Ｂそれぞれの弾性体は、２枚の金属板で挟まれた通路の金属板の一部がくり抜かれた部分で、接触するように設けられている。
なお、後処理制御部３１（図１参照）の制御により、駆動ロール４１Ａと従動ロール４１Ｂのいずれか一方又は両方が、接触状態が解除されて、他方に対して離れた位置に移動する（離間する）ようになっている。
【００２６】
そして、図２に示すように、後処理装置３を省スペース化するため、第１用紙搬送経路Ｒ１は、Ｓ字形状に曲げられて構成されている。
また、後処理装置３の受け入れ口３０１と排出口３０２とは、同じ高さに設けられている。これにより、後処理装置３を設けない場合に、折り処理を行う装置、フィニッシャ装置などを画像形成装置１に接続されるようになっている。
【００２７】
ここで、後処理装置３が備える各機能部を説明する。
傾き検知部３０３は、例えば、発光素子と受光素子のペアで構成された検知部材が、用紙Ｓの流れと垂直な方向に２組設けられて構成される。用紙Ｓが通過しない場合、受光素子は、発光素子から出た光を受光している。そして、２個の検知部材における用紙Ｓの通過によって遮光された時間（タイミング）差から、搬送されてきた用紙Ｓの、流れに垂直な方向に対する傾きを算出する。
【００２８】
第１傾き補正部３０４は、スイングロール４２を備えている。スイングロール４２も搬送ロール４１と同様に、モータより回転駆動する駆動ロール４２Ａと、駆動ロール４２Ａと対向する位置に設けられ、駆動ロール４２Ａから駆動力を受けて回転する従動ロール４２Ｂとから構成されている。
そして、スイングロール４２における駆動ロール４２Ａ及び従動ロール４２Ｂは、軸の一端部は固定されているが、他端部は用紙Ｓの流れに対して垂直な方向に対して、傾けられる（スイングする）ようになっている。用紙Ｓが到達する直前に、傾き検知部３０３によって検知された用紙Ｓの傾き量に合わせて、スイングロール４２の傾き量が設定されている。
【００２９】
スイングロール４２における駆動ロール４２Ａ及び従動ロール４２Ｂが傾いた状態で、用紙Ｓを挟み込むと、傾いた状態から傾かない元の状態に戻される。これにより、用紙Ｓの傾きが補正される。
このとき、スイングロール４２が用紙Ｓをニップした後、スイングロール４２の傾きを戻す際に、スイングロール４２の上流側にあって、用紙Ｓをニップしている搬送ロール４１（図２では３個）の駆動ロール４１Ａと従動ロール４１Ｂとのいずれか一方又は両方がニップを解除された状態に移行する。つまり、用紙Ｓをニップしている弾性体間の距離が広げられる。これにより、スイングロール４２による用紙Ｓの傾きの補正が、容易に行われやすくなる。
なお、駆動ロール４１Ａと従動ロール４１Ｂとのいずれか一方を用紙Ｓから離間させれば、用紙Ｓの動きが容易になる。しかし、用紙Ｓが厚い場合（厚い用紙Ｓ）には、駆動ロール４１Ａ又は従動ロール４１Ｂの弾性体との接触が、用紙Ｓの動きを妨げるおそれがある。このような場合には、駆動ロール４１Ａ及び従動ロール４１Ｂをともに、用紙Ｓから離間させてもよい。
【００３０】
そして、スイングロール４２が傾いた状態から傾かない元の状態に戻って、用紙Ｓの傾きの補正が終了した後には、搬送ロール４１における駆動ロール４１Ａと従動ロール４１Ｂとは、接触状態に戻る。これにより、スイングロール４２により傾きが補正された状態で、用紙Ｓが搬送される。
【００３１】
第２傾き補正部３０５は、第１傾き補正部３０４で傾きが補正された用紙Ｓの傾きをさらに精度を上げて補正する。第２傾き補正部３０５は、用紙Ｓを突き当てることで傾きを補正する補正ロール４３を備えている。補正ロール４３は、搬送ロール４１と同様に、モータより回転駆動する駆動ロール４３Ａと、駆動ロール４３Ａと対向する位置に設けられ、駆動ロール４３Ａから駆動力を受けて回転する従動ロール４３Ｂとから構成されている。
【００３２】
補正ロール４３は、用紙Ｓが突き当たる直前に、回転が停止した状態に保持される。用紙Ｓは補正ロール４３に突き当たるとともに、上流側から押されているため、重力により下方にたわむ。このたわみが発生したタイミングで、補正ロール４３の回転を再開させる。これにより、用紙Ｓの傾きが補正される。なお、補正ロール４３の上流側に、用紙Ｓのたわみを収容するたわみ収容部４４が設けられている。たわみ収容部４４は、第１用紙搬送経路Ｒ１が下側に膨れるように設けられている。
なお、第１傾き補正部３０４で、用紙Ｓの大きな傾きは補正されている。よって、第２傾き補正部３０５は、傾きの補正の精度をさらに上げるように働く。
【００３３】
端位置検出部３０６は、用紙Ｓの流れに対して垂直な方向の端を検知する。すなわち、用紙Ｓの幅は定まっていない。例えば、ラインセンサなどにより、用紙Ｓの端の位置が検出される。ここでは、用紙Ｓの流れに対して垂直な方向については、用紙Ｓの位置を揃えていない。よって、用紙Ｓごとに端の位置が異なっている。
【００３４】
折り筋形成部３０７は、第１用紙搬送経路Ｒ１の脇から第１用紙搬送経路Ｒ１に向かって進出する進出部材を有しており、この進出部材を用紙Ｓに押し当てることで、用紙Ｓに、折り筋を形成する。この折り筋を基に、後処理装置３に続いて設けられる折り処理を行う装置において、用紙Ｓが折られる。
折り筋を設けることで、折り処理がより円滑に行われる。
なお、折り筋形成部３０７は、用紙Ｓに対して、折り筋を形成しないようにも設定される。すなわち、用紙Ｓが折り筋形成部３０７を経由しても、折り筋形成部３０７が機能しないように設定しうる。この場合、用紙Ｓは、折り筋が形成されない状態で、側縁除去部３０８に向かう。
【００３５】
側縁除去部３０８は、トリミングを行う装置であり、用紙Ｓの側縁ＣＳ（第１用紙搬送経路Ｒ１に沿った側縁）の部分を除去する。側縁除去部３０８は、例えば、用紙Ｓの流れに対して垂直に設けられた軸に固定された円板状の刃を備えるロータリーカッターユニットで構成されている。そして、ロータリーカッターユニットは、用紙Ｓの流れに対して垂直な方向に２個設けられている。これにより、用紙Ｓの両端部の側縁ＣＳが並行して除去される。
用紙Ｓの幅は、作製する冊子などにより異なるため、端位置検出部３０６で検出された用紙Ｓの端の位置と、用紙Ｓのトリミングする側縁ＣＳのサイズに合わせて、２個のロータリーカッターユニットが軸に沿って移動して、用紙Ｓの側縁ＣＳを切り落す。
屑収容部３０９は、側縁除去部３０８で切り落とされた用紙Ｓの側縁ＣＳを屑として収容する。
なお、側縁除去部３０８は、用紙Ｓの側縁ＣＳを除去しないようにも設定される。すなわち、用紙Ｓが側縁除去部３０８を経由しても、側縁除去部３０８が機能しないように設定しうる。この場合、用紙Ｓは、側縁ＣＳが除去されない状態で、排出口３０２に向かう。
【００３６】
ここで、後処理装置３における用紙Ｓの流れを説明する。まず、第１用紙搬送経路Ｒ１に沿って、用紙Ｓが搬送される場合を説明する。
【００３７】
画像形成装置１で画像が形成された用紙Ｓは、用紙挿入装置２を経由して、受け入れ口３０１から、後処理装置３に搬入される。
後処理装置３では、まず、傾き検知部３０３により、用紙Ｓの流れに対して垂直な方向の傾きが検知される。
次に、第１傾き補正部３０４及び第２傾き補正部３０５で傾きが補正される。
そして、端位置検出部３０６により、用紙Ｓの両端の位置が検知される。
【００３８】
その後、折り筋形成部３０７により、折り筋が形成される。
さらに、側縁除去部３０８により、用紙Ｓの側縁ＣＳが除去される。
そして、先行して搬送されてきた用紙Ｓ（以下、「先行用紙Ｓ」と称する）は、第１分岐経路Ｒ１１に送り込まれる。そして、この第１分岐経路Ｒ１１上に、先行用紙Ｓが一時的に滞留（待機）される。
次いで、後続して搬送されてきた用紙Ｓ（以下、「後続用紙Ｓ」と称する）は、第２分岐経路Ｒ１２に送り込まれる。
そして、先行用紙Ｓと後続用紙Ｓとが重なった状態の用紙Ｓ（以下、「重なり用紙Ｓ」と称する）が、排出口３０２に向けて送り出される。
【００３９】
第１分岐経路Ｒ１１及び第２分岐経路Ｒ１２は、用紙束の折り処理など、時間を要する処理が後続する場合、画像形成装置１などの処理能力を低下させないための緩衝（バッファー）機能を有している。言い換えれば、第１分岐経路Ｒ１１及び第２分岐経路Ｒ１２は、緩衝部３１０を構成する。
例えば、緩衝部３１０を備えていない場合、用紙束の折り処理などの時間を要する処理が後続する場合、この折り処理よりも処理効率が高い、画像形成装置１における画像形成動作を停止等させる必要が生じて、全体の処理効率が低下する。
【００４０】
一方、緩衝部３１０を備える場合、時間を要する処理が後続する場合でも、画像形成装置１における画像形成動作が継続して行える。
具体的には、後続用紙Ｓを送り込める第２分岐経路Ｒ１２が設けられており、時間を要する処理が後続する場合でも、この第２分岐経路Ｒ１２に後続用紙Ｓを送り込むことで、画像形成装置１における画像形成動作が継続して行える。これより、処理効率の低下が抑制される。
【００４１】
なお、後処理装置３に後続する処理が時間を要しない場合には、第１分岐経路Ｒ１１及び第２分岐経路Ｒ１２のいずれか一方のみを用いればよい。
【００４２】
次に、用紙Ｓが、第１用紙搬送経路Ｒ１から分岐した第２用紙搬送経路Ｒ２に沿って搬送される場合を説明する。
後処理装置３が備える処理部、ここでは、用紙Ｓに折り筋を形成する折り筋形成部３０７、用紙Ｓの側縁ＣＳを除去する側縁除去部３０８、第１分岐経路Ｒ１１及び第２分岐経路Ｒ１２が構成する緩衝部３１０を使用しない場合には、第１用紙搬送経路Ｒ１から分岐した第２用紙搬送経路Ｒ２を使用して、用紙Ｓが搬送される。
【００４３】
画像形成装置１で画像が形成された用紙Ｓは、用紙挿入装置２を経由して、受け入れ口３０１から、後処理装置３に搬入される。
後処理装置３では、まず、傾き検知部３０３により、用紙Ｓの傾きが検知される。
次に、第１傾き補正部３０４で傾きが補正される。そして、傾きが補正された用紙Ｓは、第２用紙搬送経路Ｒ２を経由して、排出口３０２に向けて送り出される。
【００４４】
言い換えれば、第２用紙搬送経路Ｒ２は、後処理装置３が備える各処理部を経由しないで通過するバイパスとして機能する。
後処理装置３が備える各処理部を経由しない場合、用紙Ｓの搬送時間が短縮される。また、用紙Ｓが経由する経路長が、各処理部を経由する場合に比べて短いため、用紙Ｓに与える負荷が小さく、用紙Ｓに汚れや傷などがつきにくい。
【００４５】
よって、用紙Ｓ毎に、後処理装置３が備える各処理部のいずれかを使用する用紙Ｓの場合には、各処理部を経由する第１用紙搬送経路Ｒ１を経由するように制御され、後処理装置３が備える各処理部を使用しない用紙Ｓの場合には、各処理部を迂回する第２用紙搬送経路Ｒ２を経由するように制御される。
【００４６】
しかし、冊子製作などの連続して行われる一連の印刷単位（ジョブ）では、後処理装置３が備える各処理部のいずれかを使用する用紙Ｓと、後処理装置３が備える各処理部を使用しない用紙Ｓとが混在することがある。例えば、冊子製作において、表紙や中紙は、折り筋の形成や、側縁ＣＳの除去を要しない場合がある。そして、表紙や中紙は、用紙挿入装置２又は別トレイから、後処理装置３に供給される。
すると、画像形成装置１からの用紙Ｓは、折り筋の形成や、側縁ＣＳの除去を必要とする場合、折り筋形成部３０７、側縁除去部３０８などの各処理部を経由する第１用紙搬送経路Ｒ１を経由して、排出口３０２に向けて送り出される。一方、用紙挿入装置２から供給される、表紙や中紙は、各処理部を迂回する第２用紙搬送経路Ｒ２を経由して、排出口３０２に向けて送り出される。
ここで、各処理部を経由する第１用紙搬送経路Ｒ１が第１の搬送経路の一例であり、第１用紙搬送経路Ｒ１から分岐し各処理部を迂回する第２用紙搬送経路Ｒ２が第２の搬送経路の一例である。
【００４７】
例えば、Ａ４サイズの冊子を作製する場合、画像形成装置１で画像が形成されるＡ３の用紙Ｓは、二つ折り又はＺ折りによってＡ４にする。このため、第１用紙搬送経路Ｒ１を経由して、折り筋形成部３０７により折り筋を形成して、排出口３０２に向けて送り出される。一方、用紙挿入装置２から供給されるＡ４サイズの表紙などは、第２用紙搬送経路Ｒ２を経由して、排出口３０２に向けて送り出される。
【００４８】
また、用紙挿入装置２から供給されるＡ４サイズの表紙や中紙に合わせるため、画像形成装置１で画像が形成された用紙Ｓの側縁ＣＳを側縁除去部３０８で除去する場合、画像形成装置１からの用紙Ｓは、第１用紙搬送経路Ｒ１を経由して、側縁除去部３０８により側縁ＣＳが除去されて、排出口３０２に向けて送り出される。一方、用紙挿入装置２からの表紙や中紙は、第２用紙搬送経路Ｒ２を経由して、排出口３０２に向けて送り出される。
【００４９】
３枚の用紙Ｓを合わせて、排出口３０２から送り出す場合、１、２枚目の用紙Ｓは、第１用紙搬送経路Ｒ１を経由して、第１分岐経路Ｒ１１及び第２分岐経路Ｒ１２に蓄積し、３枚目の用紙Ｓは、第２用紙搬送経路Ｒ２を経由して、排出口３０２から送り出される。
【００５０】
上記のような、用紙Ｓが後処理装置３の各処理部の処理を要するか否かによる経路の切り替えは、後処理制御部３１を制御するプログラムによって、α部分、β部分、γ部分に設けられたゲートを制御することよって行われる。
このプログラムは、印刷単位（ジョブ）毎に、しかも、印刷単位に含まれる用紙Ｓ毎に各ゲートを制御する。よって、プログラム作成のための工数が増加する。
【００５１】
そこで、本実施の形態では、印刷単位（ジョブ）において、後処理装置３が備える各処理部のいずれかを使用する用紙Ｓと、後処理装置３が備える各処理部を使用しない用紙Ｓとが混在しても、すべての用紙Ｓを、各処理部を経由する第１用紙搬送経路Ｒ１を経由させるようにする。これにより、各ゲートの制御が簡単になり、制御するプログラムの作成における工数が少なくて済む。
なお、各処理部を動作させるか否かは、処理部毎に設定しうるため、後処理装置３が備える各処理部を使用しない用紙Ｓを、各処理部を経由する第１用紙搬送経路Ｒ１を経由させて搬送しても、各処理部における処理はされない。
【００５２】
例えば、Ａ４サイズの冊子を作製する場合、画像形成装置１で画像が形成されるＡ３の用紙Ｓは、二つ折り又はＺ折りによってＡ４にする。このため、第１用紙搬送経路Ｒ１を経由して、折り筋形成部３０７により折り筋を形成して、排出口３０２に向けて送り出される。同様に、用紙挿入装置２から供給されるＡ４サイズの表紙なども、第１用紙搬送経路Ｒ１を経由して搬送される。このとき、折り筋形成部３０７により折り筋が形成されないように制御される。そして、排出口３０２に向けて送り出される。
このようにすることで、経路を切り替えるゲートの制御を要せず、折り筋形成部３０７を動作させるか否かの制御をすればよい。
【００５３】
また、用紙束の中央部分に綴じ処理（中綴じ処理）を施して中綴じ冊子を作製する場合、折り易さが異なる用紙Ｓが混在することがある。この場合、折りにくい用紙Ｓは、第１用紙搬送経路Ｒ１を経由して、折り筋形成部３０７により折り筋を形成して、排出口３０２に向けて送り出される。同様に、折り易い用紙Ｓも、第１用紙搬送経路Ｒ１を経由して搬送される。このとき、折り筋形成部３０７により折り筋が形成されないように制御される。そして、排出口３０２に向けて送り出される。
このようにすることで、経路を切り替えるゲートの制御を要せず、折り筋形成部３０７を動作させるか否かの制御をすればよい。
なお、折り易い用紙Ｓは、実際に折り処理を行うフィニッシャ装置などにおいて容易に折られるため、予め折り筋が形成されていることを要しない。すなわち、折り易い用紙Ｓに折り筋を形成しないことで、中綴じ冊子の作製の効率（生産性）が向上する。
【００５４】
さらに、用紙挿入装置２から供給されるＡ４サイズの表紙や中紙に合わせるため、画像形成装置１で画像が形成された用紙Ｓの側縁ＣＳを側縁除去部３０８で除去する場合、画像形成装置１からの用紙Ｓは、第１用紙搬送経路Ｒ１を経由して、側縁除去部３０８により側縁ＣＳが除去されて、排出口３０２に向けて送り出される。同様に、用紙挿入装置２からの表紙や中紙も、第１用紙搬送経路Ｒ１を経由して搬送される。このとき、側縁除去部３０８により側縁ＣＳが除去されないように制御される。そして、排出口３０２に向けて送り出される。
この場合も、経路を切り替えるゲートの制御を要せず、側縁除去部３０８を動作させるか否かの制御をすればよい。
【００５５】
複数の用紙Ｓを合わせて、排出口３０２から送り出す場合、１、２枚目の用紙Ｓは、第１用紙搬送経路Ｒ１を経由して、第１分岐経路Ｒ１１及び第２分岐経路Ｒ１２に蓄積し、３枚目の用紙Ｓも、第１用紙搬送経路Ｒ１を経由して、排出口３０２から送り出される。
この場合も、経路を切り替えるゲートの制御を要せず、緩衝部３１０を動作させるか否かの制御をすればよい。
【００５６】
すなわち、処理部を経由する第１用紙搬送経路Ｒ１と、処理部を経由しない第２用紙搬送経路Ｒ２とを混在させて用紙Ｓを搬送させると、各処理部を動作させるか否かの制御と、用紙Ｓを搬送する経路を切り替えるゲートの制御とが必要になる。
しかし、第１用紙搬送経路Ｒ１と第２用紙搬送経路Ｒ２とを混在させないで、用紙Ｓを第１用紙搬送経路Ｒ１で搬送させる場合は、ゲートの制御を要せず、各処理部を動作させるか否かの制御をすればよい。よって、制御が簡略化される。
【００５７】
本実施の形態では、後処理装置３は、折り筋形成部３０７及び側縁除去部３０８を備えたが、これらのいずれか又は両方に加えて、他の処理を施す処理部を備えてもよい。また、これらとは別に、他の処理を施す処理部を備えてもよい。
さらに、本発明は、上記の実施の形態に限定されない。
【符号の説明】
【００５８】
１…画像形成装置、２…用紙挿入装置、２…後処理装置、１０…画像形成部、１１…画像読み取り部、１２…用紙供給部、１３…総合ユーザ・インターフェイス、１４…主制御部、３１…後処理制御部、３２…ユーザ・インターフェイス、４１…搬送ロール、４２…スイングロール、４３…補正ロール、４４…たわみ収容部、１００…画像形成システム、３０１…受け入れ口、３０２…排出口、３０３…傾き検知部、３０４…第１傾き補正部、３０５…第２傾き補正部、３０６…端位置検出部、３０７…折り筋形成部、３０８…側縁除去部、３０９…屑収容部、３１０…緩衝部、Ｓ…用紙、ＣＳ…側縁
【図１】
0006540151.tif 000002
【図２】
0006540151.tif 000003